(57)【要約】【課題】組立作業の煩雑化を招来せずに、製造コストの低減化を図ることができる商品収納ラックを提供すること。【解決手段】上下方向に沿って延在し、かつ投入された商品を横向きの姿勢で順次収納するための商品収納通路Ｌを備えた商品収納ラック２０において、商品収納通路Ｌは、上下方向に沿って延設された左右一対の第１ガイド板の間に複数のセグメント４０，５０が架設されてなる第１通路形成部材と、上下方向に沿って延設された左右一対の第２ガイド板の間に複数のセグメント４０，５０が架設されてなる第２通路形成部材とが、互いのセグメント４０，５０が対向した態様で前後一対に配設されることにより画成されたものである。【選択図】        図４
2006184971.tif 000002
【特許請求の範囲】
【請求項１】
上下方向に沿って延在し、かつ投入された商品を横向きの姿勢で順次収納するための商
品収納通路を備えた商品収納ラックにおいて、
前記商品収納通路は、上下方向に沿って延設された左右一対の第１長尺板状体の間に複
数のセグメントが架設されてなる第１通路形成部材と、上下方向に沿って延設された左右
一対の第２長尺板状体の間に複数のセグメントが架設されてなる第２通路形成部材とが、
互いのセグメントが対向した態様で前後一対に配設されることにより、画成されたことを
特徴とする商品収納ラック。
【請求項２】
前記第１通路形成部材を構成する第１長尺板状体と、前記第２通路形成部材を構成する
第２長尺板状体との間には、前記商品の最大幅よりも小さい間隙が形成されたことを特徴
とする請求項１に記載の商品収納ラック。
【発明の詳細な説明】
【技術分野】
【０００１】
本発明は、商品収納ラックに関し、より詳細には、例えば缶入り飲料、瓶入り飲料およ
びペットボトル入り飲料等の商品を販売する自動販売機に適用される商品収納ラックの改
良に関する。
【背景技術】
【０００２】
従来、例えば缶入り飲料、瓶入り飲料およびペットボトル入り飲料等の商品を販売する
自動販売機の商品収納ラック１００は、図１３に示すように、左右に対向して立設された
一対の側板１０１，１０２の間に複数の円弧状のセグメント１０３が架設されることによ
り、上下方向に沿って蛇行した態様で画成された商品収納通路が複数設けられている。ま
た、商品収納ラック１００には、個々の商品収納通路の上方側に商品投入用トレイ１０４
が設けられている一方、個々の商品収納通路の下方側に最下段に収納された商品を切り出
して搬出するための商品搬出機構１０５が設けられている（例えば、特許文献１）。
【０００３】
そのような構成を有する商品収納ラック１００においては、商品を補充する場合、前方
から商品投入用トレイ１０４に商品を横向きの姿勢（倒置姿勢）で投入することになる。
これにより、商品は、商品投入用トレイ１０４の傾斜にしたがって漸次後方に転動し、該
商品投入用トレイ１０４の後端からセグメント１０３に沿って蛇行状の商品収納通路を転
動しながら落下して商品搬出機構１０５の上に一列に積み上げ収納される。そして、商品
を販売する場合、商品搬出機構１０５が販売指令に基づいて駆動して最下段に収納された
商品を下方に落下させる。これにより、商品は、自動販売機の商品取出口まで払い出され
る。
【０００４】
【特許文献１】特開２００２−１２２８１８号公報
【発明の開示】
【発明が解決しようとする課題】
【０００５】
ところが、従来の商品収納ラック１００では、一対の側板１０１，１０２の間に複数の
セグメント１０３を架設して複数の商品収納通路を画成していたので、側板１０１，１０
２自体が大きいものになり、このような側板１０１，１０２にセグメント１０３を架設等
する場合には、カシメ等を行うための大型の装置等が必要であった。その結果、商品収納
通路の画成は大がかりなものになり、組立作業の煩雑化の招来するだけでなく、製造コス
トの増大の要因となっていた。
【０００６】
本発明は、上記実情に鑑みて、組立作業の煩雑化を招来せずに、製造コストの低減化を
図ることができる商品収納ラックを提供することを目的とする。
【課題を解決するための手段】
【０００７】
上記目的を達成するために、本発明の請求項１に係る商品収納ラックは、上下方向に沿
って延在し、かつ投入された商品を横向きの姿勢で順次収納するための商品収納通路を備
えた商品収納ラックにおいて、前記商品収納通路は、上下方向に沿って延設された左右一
対の第１長尺板状体の間に複数のセグメントが架設されてなる第１通路形成部材と、上下
方向に沿って延設された左右一対の第２長尺板状体の間に複数のセグメントが架設されて
なる第２通路形成部材とが、互いのセグメントが対向した態様で前後一対に配設されるこ
とにより、画成されたことを特徴とする。
【０００８】
また、本発明の請求項２に係る商品収納ラックは、上記請求項１において、前記第１通
路形成部材を構成する第１長尺板状体と、前記第２通路形成部材を構成する第２長尺板状
体との間には、前記商品の最大幅よりも小さい間隙が形成されたことを特徴とする。
【発明の効果】
【０００９】
本発明の商品収納ラックによれば、上下方向に沿って延設された左右一対の第１長尺板
状体の間に複数のセグメントが架設されてなる第１通路形成部材と、上下方向に沿って延
設された左右一対の第２長尺板状体の間に複数のセグメントが架設されてなる第２通路形
成部材とが、互いのセグメントが対向した態様で前後一対に配設されることにより、商品
収納通路が画成されたので、一対の側板間に複数の商品収納通路を画成していた従来構成
のように大型装置等を必要とせず、簡単な取付器具を利用して各通路形成部材毎に組み立
てることにより構成することができ、組立作業の煩雑化を招来せずに、製造コストの低減
化を図ることができるという効果を奏する。
【発明を実施するための最良の形態】
【００１０】
以下に添付図面を参照して、本発明に係る商品収納ラックの好適な実施の形態について
詳細に説明する。
【００１１】
図１〜図３は、それぞれ本発明の実施の形態における商品収納ラックが適用された自動
販売機の構成を示したものである。この自動販売機は、缶入り飲料やペットボトル入り飲
料等の商品を販売するためのもので、本体キャビネット１を備えている。
【００１２】
本体キャビネット１は、前面が開口した直方状の断熱筐体として形成されたものである
。この本体キャビネット１の内部には、複数の独立した商品収容庫２ａ，２ｂ，２ｃが左
右に並設してある。これら商品収容庫２ａ，２ｂ，２ｃは、缶入り飲料やペットボトル入
り飲料等の商品を所望の温度に維持した状態で収容するためのものである。各商品収容庫
２ａ，２ｂ，２ｃには、それぞれの上方部に、投入された商品を収納するための商品収納
ラック２０が配設してある一方、搬出用シュータ４によって区画される下方部に、熱交換
器（図示せず）が配設してあり、該熱交換器の駆動により、商品収納ラック２０に収納さ
れた飲料缶やペットボトルを所望の冷却温度、あるいは加熱温度に維持することが可能で
ある。
【００１３】
上記自動販売機には、本体キャビネット１の一側縁部に扉体５を設けてある。扉体５は
、本体キャビネット１の前面開口を開閉するためのもので、内扉５ａ、中扉５ｂおよび外
扉５ｃを備えて構成してある。内扉５ａは、本体キャビネット１に設けた商品収容庫２ａ
，２ｂ，２ｃの前面を覆うに充分な大きさを有したものである。図示の例では、内扉５ａ
を上下に分割し、それぞれを個別に開閉できるようにしてある。
【００１４】
中扉５ｂは、内扉５ａの前面側に配設したものである。この中扉５ｂには、その前面側
上部に販売商品のサンプル（以下、商品サンプルともいう）Ｓを左右に並べて一列に載置
した商品サンプルステージ６が上下方向に複数段（図示の例では３段）に並べて配設して
ある。また、中扉５ｂには、その前面側下部に電照板７が配設してある。
【００１５】
外扉５ｃは、本体キャビネット１の前面開口を覆うに充分な大きさを有したものである
。この外扉５ｃには、その前面側にディスプレイウィンドウ８、商品選択ボタン９、硬貨
投入口１０、紙幣挿入口１１、一体表示器１２、硬貨返却口１３、商品取出口１４が設け
てある。一方、外扉５ｃの後面側には、硬貨処理機１５、硬貨回収箱１６、紙幣処理機１
７が設けてある。
【００１６】
ディスプレイウィンドウ８は、中扉５ｂに配置した商品サンプルＳ（商品サンプルステ
ージ６）および電照板７を利用者に視認させるための窓である。商品選択ボタン９は、利
用者が購入商品を選択するための押ボタンスイッチであり、ディスプレイウィンドウ８を
通じて視認される商品サンプルＳ毎に用意してある。硬貨投入口１０は、利用者が硬貨を
投入するための開口である。この硬貨投入口１０を通じて投入された硬貨は、硬貨処理機
１５においてその金種が識別され、その後、硬貨回収箱１６に収容されることになる。紙
幣挿入口１１は、利用者が紙幣を挿入するための開口である。この紙幣挿入口１１を通じ
て挿入された紙幣は、紙幣処理機１７においてその金種が識別されることになる。また上
記紙幣挿入口１１は、紙幣処理機１７において識別できなかった紙幣を返却するための機
能を有している。一体表示器１２は、貨幣の投入金額、販売中であるか否か、釣銭がある
か否か等、各種情報を利用者に表示するためのものである。硬貨返却口１３は、硬貨処理
機１５において識別できなかった硬貨、あるいは釣銭となる硬貨を利用者に返却するため
の開口である。商品取出口１４は、商品収納ラック２０から払い出された商品を利用者が
受け取るための開口である。
【００１７】
図４は、上記商品収納ラックを示した側断面図である。この図４において、商品収納ラ
ック２０は、前後に６列の商品収納通路が画成された３分割構造を有しており、前段ユニ
ット２１、中段ユニット２２および後段ユニット２３を備えて構成してある。
【００１８】
前段ユニット２１は、最も前方に配置したものであり、第１前側通路形成部材２１１、
第１中央通路形成部材２１２および第１後側通路形成部材２１３を有して構成してある。
第１前側通路形成部材２１１は、一対の第１前ガイド板２１１ａと、複数の第１セグメン
ト４０とを有してなるものである。第１前ガイド板２１１ａは、それぞれ例えば鋼板等の
板状部材を加工してなる長尺状のものである。これら第１前ガイド板２１１ａは、それぞ
れの上端部が前後方向に延設された水平支持部材１８の前端部にネジ等の締結手段を介し
て取り付けられることにより、左右に対向する態様で配設してある。
【００１９】
第１セグメント４０は、一枚の鋼板等の板状部材を加工したものであり、正面側が凹と
なる湾曲形状を有している。この第１セグメント４０には、フラッパ３０が取り付けてあ
る。フラッパ３０は、図５に示すように、水平に設けた軸部を中心に上下方向に揺動可能
に取り付けてあり、バネ９０により第１セグメント４０の正面側に向けて突出するように
付勢してある。
【００２０】
図６〜図８は、それぞれ第１セグメントの構成を示したものであり、図６は正面側から
見た斜視図であり、図７は背面側から見た斜視図であり、図８は背面側から見た場合の分
解斜視図である。これらの図において、フラッパ３０は、一枚の板状体を加工したもので
あり、当接部３１および支持部３２，３３を有している。
【００２１】
当接部３１は、詳細は後述するが、商品収納通路に搬入された商品と当接する部分であ
り、略矩形の当接面を有している。当接面には、商品と交差するようにビードが形成して
あり、フラッパ３０の強度を補強するとともに、商品の転がり摩擦、商品が通過する際の
騒音を小さくすることができる。
【００２２】
支持部３２，３３は、当接部３１から延在する部分であり、フラッパ３０が揺動した場
合にも商品が詰まることがないように、上面が凸となる湾曲形状を有している。また、支
持部３２，３３は、両側部と中央部とを切り欠くことにより、フラッパ３０の根元方向に
向けて二股に分かれ、各支持部３２，３３の後縁を円筒状に折り曲げることにより、第１
軸部３２１と第２軸部３３１とが形成してある。
【００２３】
第１軸部３２１は、フラッパ３０の右側（図７および図８においては左側）の支持部３
２から外側にフラッパ３０の略右側縁（図８において左側縁）に至るまで延在するととも
に、フラッパ３０の右側の支持部３２から内側に延在している。尚、第１軸部３２１の外
側に延在する部分の長さは、第１軸部３２１の内側に延在する部分の長さよりも長くなる
ように形成してある。
【００２４】
第２軸部３３１は、フラッパ３０の左側（図８において右側）の支持部３３から外側に
フラッパ３０の略左側縁（図８において右側縁）に至るまで延在するとともに、フラッパ
３０の左側の支持部３３から内側に延在している。また、第２軸部３３１の軸端部には、
さらに左方（図８において右方）に延在する抜止部３３２が形成してある。抜止部３３２
は、図７に示すように、第１セグメント４０にフラッパ３０を取り付けた後に折り曲げる
ことにより、フラッパ３０の脱落を防止可能である。
【００２５】
図６に示すように、第１セグメント４０を正面側から見た場合に下部右側となる位置（
図７および図８のように背面側から見た場合には下部左側となる位置）には、右側開口４
１と左側開口４２の二つの開口が形成してある。これらの開口４１，４２は、フラッパ３
０の揺動範囲を画定するものであり、開口４１，４２の上縁とフラッパ３０の上面とが当
接した場合には、フラッパ３０がやや前下がり姿勢となり（図５参照）、開口４１，４２
の下縁とフラッパ３０の下面とが当接した場合には、フラッパ３０が大きく前下がり姿勢
となる。尚、フラッパ３０上に商品がない場合には、開口４１，４２の上縁とフラッパ３
０の上面とが当接して、フラッパ３０は、やや前下がり姿勢で待機する。
【００２６】
図７および図８に示すように、第１セグメント４０の右側開口４１（図７および図８に
おいて左側の開口）の両側縁部には、フラッパ３０を支承する第１支承部４１１と第２支
承部４１２とが第１セグメント４０から背面側に切り起こして形成してある。また、第１
セグメント４０の左側開口４２（図７および図８において右側の開口）の左側側縁部（図
７および図８において右側の縁部）には、フラッパ３０を支承する第３支承部４２１が第
１セグメント４０から背面側に切り起こして形成してある。これらの支承部４１１，４１
２，４２１には、同一の軸心となるように、それぞれ、取付孔４１１ａ，４１２ａ，４２
１ａが形成してある。
【００２７】
バネ９０は、フラッパ３０が第１セグメント４０の正面側に突出する方向に付勢すると
ともに、フラッパ３０を左方（図８において右方）に付勢するものである。このバネ９０
は、つるまき形状を有するとともに、セグメント腕部９１とフラッパ腕部９２とを有して
いる。セグメント腕部９１は、バネ９０の右側（図８において左側）の端部から右方（図
６において左方）に延在する部分であり、第１セグメント４０に係止される。フラッパ腕
部９２は、バネ９０の左側（図８において右側）の端部から右方（図８において左方）に
延在する部分であり、フラッパ３０に係止される。
【００２８】
ここで、第１セグメント４０に対するフラッパ３０の取付手順について説明する。まず
、フラッパ３０の第２軸部３３１の内側部にバネ９０を挿通した後、フラッパ３０の支持
部３２を第１セグメント４０に形成した右側開口４１から収容して、フラッパ３０の第１
軸部３２１の外側部を第１セグメント４０の第１支承部４１１に形成した取付孔４１１ａ
に挿通させる。その後、フラッパ３０の支持部３３を第１セグメント４０に形成した左側
開口４２から収容した後に、バネ９０を圧縮させて、フラッパ３０の第１軸部３２１の内
側部を第１セグメント４０の第２支承部４１２に形成した取付孔４１２ａに挿通させると
ともに、フラッパ３０の第２軸部３３１の外側部を第１セグメント４０の第３支承部４２
１に形成した取付孔４２１ａに挿通させる。
【００２９】
そして、セグメント腕部９１を第１セグメント４０の背面に、フラッパ腕部９２をフラ
ッパ３０の裏面に係止するようにバネ９０を配設した後、バネ９０の圧縮を解放し、フラ
ッパ３０の第１軸部３２１の内側部にも挿通させる。すると、バネ９０は、フラッパ３０
を第１セグメント４０の正面側に突出する方向に付勢するとともに、フラッパ３０を左方
（図７および図８において右方）に付勢する。従って、フラッパ３０の左側の支持部３３
（図７および図８において右側の支持部）が第１セグメント４０の第３支承部４２１に常
時当接するようになる。このため、第１セグメント４０からフラッパ３０が簡単に脱落す
ることはない。その後、図７に示すように、抜止部３３２を折り曲げると、バネ９０の付
勢力に抗してフラッパ３０を右方（図７において左方）に移動させてもフラッパ３０と抜
止部３３２とが当接して、第１セグメント４０からフラッパ３０が脱落することはない。
【００３０】
このような構成を有する複数の第１セグメント４０を、第１前ガイド板２１１ａ間の中
間高さ位置から下方に架設することにより第１前側通路形成部材２１１が構成される。よ
り詳細には、複数の第１セグメント４０が、該第１セグメント４０の正面が後方となる態
様で、第１前ガイド板２１１ａの長手方向に沿って該第１前ガイド板２１１ａの中間高さ
位置から下方に連なって第１前ガイド板２１１ａ間に架設されることにより第１前側通路
形成部材２１１が構成される。
【００３１】
第１中央通路形成部材２１２は、一対の第１中央ガイド板２１２ａと、複数の第１セグ
メント４０と、複数の第２セグメント５０とを有してなるものである。第１中央ガイド板
２１２ａは、それぞれ例えば鋼板等の板状部材を加工してなる長尺状のものであり、第１
前ガイド板２１１ａと略同一の長さを有している。これら第１中央ガイド板２１２ａは、
それぞれの上端部が上記水平支持部材１８にネジ等の締結手段を介して取り付けられるこ
とにより、左右に対向する態様で配設してある。より詳細に説明すると、第１中央ガイド
板２１２ａは、第１前側通路形成部材２１１を構成する第１前ガイド板２１１ａよりも後
方側に所定の距離だけ離隔した位置に配設してある。より具体的には、商品が横向きの姿
勢で通過することが可能な大きさを確保しつつ、商品を上下方向に沿って積み上げ収納可
能な距離だけ離隔した位置に配設してある。従って、第１前ガイド板２１１ａの後縁部と
第１中央ガイド板２１２ａの前縁部との間に生ずる間隙は、商品の最大幅（最大径）より
も小さくしてある。
【００３２】
複数の第１セグメント４０は、第１前側通路形成部材２１１を構成する第１セグメント
４０と同一のものである。複数の第２セグメント５０は、第１セグメント４０同様、一枚
の鋼板等の板状部材を加工したものであり、正面側が凹となる湾曲形状を有している。こ
の第２セグメント５０には、フラッパ３０が取り付けてある。フラッパ３０は、図９に示
すように、水平に設けた軸部を中心に上下方向に揺動可能に取り付けてあり、バネ９０に
より第２セグメント５０の正面側に向けて突出するように付勢してある。
【００３３】
図１０〜図１２は、それぞれ第２セグメントの構成を示したものであり、図１０は正面
側から見た斜視図であり、図１１は背面側から見た斜視図であり、図１２は背面側から見
た場合の分解斜視図である。これらの図において、フラッパ３０は、第１セグメント４０
に取り付けるものと同一形状のものであり、第１セグメント４０および第２セグメント５
０に共用される。また、第２セグメント５０とフラッパ３０との間に介装するバネ９０も
第１セグメント４０とフラッパ３０との間に介装するバネ９０と同一形状のものであり、
共用される。従って、フラッパ３０およびバネ９０については、同一の符号を付して説明
を省略する。
【００３４】
図１０に示すように、第２セグメント５０を正面側から見た場合に下部左側となる位置
（図１１および図１２のように背面側から見た場合には下部右側となる位置）には、右側
開口５１と左側開口５２の二つの開口が形成してある。これらの開口５１，５２は、フラ
ッパ３０の揺動範囲を画定するものであり、開口５１，５２の上縁とフラッパ３０の上面
とが当接した場合には、フラッパ３０がやや前下がり姿勢となり（図９参照）、開口５１
，５２の下縁とフラッパ３０の下面とが当接した場合には、フラッパ３０が大きく前下が
り姿勢となる。
【００３５】
図１１および図１２に示すように、第２セグメント５０の右側開口５１（図１１および
図１２において左側の開口）の両側縁部には、フラッパ３０を支承する第１支承部５１１
と第２支承部５１２とが第２セグメント５０から背面側に切り起こして形成してある。ま
た、第２セグメント５０の左側開口５２（図１１および図１２において右側の開口）の左
側縁部（図１１および図１２において右側の縁部）には、フラッパ３０を支承する第３支
承部５２１が第２セグメント５０から背面側に切り起こして形成してある。これらの支承
部５１１，５１２，５２１には、同一の軸心となるように、それぞれ、取付孔５１１ａ，
５１２ａ，５２１ａが形成してある。
【００３６】
ここで、第２セグメント５０に対するフラッパ３０の取付手順について説明する。まず
、フラッパ３０の第２軸部３３１の内側部にバネ９０を挿通した後、フラッパ３０の支持
部３２を第２セグメント５０に形成した右側開口５１から収容して、フラッパ３０の第１
軸部３２１の外側部を第２セグメント５０の第１支承部５１１に形成した取付孔５１１ａ
に挿通させる。その後、フラッパ３０の支持部３３を第２セグメント５０に形成した左側
開口５２から収容した後に、バネ９０を圧縮させて、フラッパ３０の第１軸部３２１の内
側部を第２セグメント５０の第２支承部５１２に形成した取付孔５１２ａに挿通させると
ともに、フラッパ３０の第２軸部３３１の外側部を第２セグメント５０の第３支承部５２
１に形成した取付孔５２１ａに挿通させる。
【００３７】
そして、セグメント腕部９１を第２セグメント５０の背面に、フラッパ腕部９２をフラ
ッパ３０の裏面に係止するようにバネ９０を配設した後、バネ９０の圧縮を解放し、フラ
ッパ３０の第１軸部３２１の内側部にも挿通させる。すると、バネ９０は、フラッパ３０
を第２セグメント５０の正面側に突出する方向に付勢するとともに、フラッパ３０を左方
（図１１および図１２において右方）に付勢する。従って、フラッパ３０の左側の支持部
３３（図１１および図１２において右側の支持部）が第２セグメント５０の第３支承部５
２１に常時当接するようになる。このため、第２セグメント５０からフラッパ３０が簡単
に脱落することはない。その後、図１１に示すように、抜止部３３２を折り曲げると、バ
ネ９０の付勢力に抗してフラッパ３０を右方（図１１において左方）に移動させてもフラ
ッパ３０と抜止部３３２とが当接して、第２セグメント５０からフラッパ３０が脱落する
ことはない。
【００３８】
そのような複数の第１セグメント４０および複数の第２セグメント５０を、それぞれ第
１中央ガイド板２１２ａ間の中間高さ位置から下方に架設することにより第１中央通路形
成部材２１２が構成される。より詳細に説明すると、複数の第２セグメント５０は、該第
２セグメント５０の正面が前方となる態様で、第１前側通路形成部材２１１を構成する第
１セグメント４０の上限配設位置よりも僅かに低い高さ位置から下方に連なって第１中央
ガイド板２１２ａ間に架設される。一方、複数の第１セグメント４０は、該第１セグメン
ト４０の正面が後方となる態様で、すなわち第２セグメント５０と背面が対向した態様で
、該第２セグメント５０の上限配設位置よりも高く、かつ第１前側通路形成部材２１１の
第１セグメント４０の上限配設位置よりも僅かに高い高さ位置から下方に連なって第１中
央ガイド板２１２ａ間に架設される。
【００３９】
その結果、第１前側通路形成部材２１１と第１中央通路形成部材２１２との間、すなわ
ち第１前ガイド板２１１ａに架設された第１セグメント４０と、第１中央ガイド板２１２
ａに架設された第２セグメント５０との間には、蛇行状の商品収納通路Ｌが画成される。
換言すると、商品収納通路Ｌは、第１前側通路形成部材２１１と第１中央通路形成部材２
１２とが互いのセグメント４０，５０が対向した態様で前後一対に配設されることにより
、画成されたものである。
【００４０】
第１後側通路形成部材２１３は、一対の第１後ガイド板２１３ａと、複数の第２セグメ
ント５０とを有してなるものである。第１後ガイド板２１３ａは、それぞれ例えば鋼板等
の板状部材を加工してなる長尺状のものであり、第１前ガイド板２１１ａおよび第１中央
ガイド板２１２ａと略同一の長さを有している。これら第１後ガイド板２１３ａは、それ
ぞれの上端部が上記水平支持部材１８にネジ等の締結手段を介して取り付けられることに
より、左右に対向する態様で配設してある。より詳細に説明すると、第１後ガイド板２１
３ａは、第１中央通路形成部材２１２を構成する第１中央ガイド板２１２ａよりも後方側
に所定の距離だけ離隔した位置に配設してある。より具体的には、商品が横向きの姿勢で
通過することが可能な大きさを確保しつつ、商品を上下方向に沿って積み上げ収納可能な
距離だけ離隔した位置に配設してある。従って、第１中央ガイド板２１２ａの後縁部と第
１後ガイド板２１３ａの前縁部との間に生ずる間隙は、商品の最大幅よりも小さくしてあ
る。
【００４１】
複数の第２セグメント５０は、第１中央通路形成部材２１２を構成する第２セグメント
５０と同一のものである。これら複数の第２セグメント５０を、それぞれ第１後ガイド板
２１３ａ間の中間高さ位置よりも僅かに高い位置から下方に架設することにより第１後側
通路形成部材２１３が構成される。より詳細には、複数の第２セグメント５０は、該第２
セグメント５０の正面が前方となる態様で、第１中央通路形成部材２１２を構成する第１
セグメント４０の上限配設位置よりも僅かに高い高さ位置から下方に連なって第１後ガイ
ド板２１３ａ間に架設される。
【００４２】
その結果、第１中央通路形成部材２１２と第１後側通路形成部材２１３との間、すなわ
ち第１中央ガイド板２１２ａに架設された第１セグメント４０と、第１後ガイド板２１３
ａに架設された第２セグメント５０との間には、蛇行状の商品収納通路Ｌが画成される。
換言すると、商品収納通路Ｌは、第１中央通路形成部材２１２と第１後側通路形成部材２
１３とが互いのセグメント４０，５０が対向した態様で前後一対に配設されることにより
、画成されたものである。
【００４３】
中段ユニット２２は、前段ユニット２１の後方側に隣接する態様で配設したものであり
、第２前側通路形成部材２２１、第２中央通路形成部材２２２および第２後側通路形成部
材２２３を有して構成してある。第２前側通路形成部材２２１は、一対の第２前ガイド板
２２１ａと、複数の第１セグメント４０とを有してなるものである。
【００４４】
第２前ガイド板２２１ａは、それぞれ例えば鋼板等の板状部材を加工してなる長尺状の
ものであり、前段ユニット２１を構成するガイド板２１１ａ，２１２ａ，２１３ａよりも
長手方向の長さが短いものである。これら第２前ガイド板２２１ａは、それぞれの上端部
が上記水平支持部材１８にネジ等の締結手段を介して取り付けられることにより、左右に
対向する態様で配設してある。より詳細に説明すると、第２前ガイド板２２１ａは、前縁
部が前段ユニット２１を構成する第１後ガイド板２１３ａの後縁部に接した状態で配設し
てある。
【００４５】
複数の第１セグメント４０は、前段ユニット２１を構成する第１セグメント４０と同一
のものである。これら複数の第１セグメント４０を、それぞれ第２前ガイド板２２１ａ間
の中間高さ位置よりも僅かに高い高さ位置から下方に架設することにより第２前側通路形
成部材２２１が構成される。より詳細には、複数の第１セグメント４０は、該第１セグメ
ント４０の正面が後方となる態様で、第１後側通路形成部材２１３を構成する第２セグメ
ント５０の上限配設位置よりも僅かに高い高さ位置から下方に連なって第２前ガイド板２
２１ａ間に架設される。
【００４６】
第２中央通路形成部材２２２は、一対の第２中央ガイド板２２２ａと、複数の第１セグ
メント４０と、複数の第２セグメント５０とを有してなるものである。第２中央ガイド板
２２２ａは、それぞれ例えば鋼板等の板状部材を加工してなる長尺状のものであり、第２
前ガイド板２２１ａと略同一の長さを有している。これら第２中央ガイド板２２２ａは、
それぞれの上端部が上記水平支持部材１８にネジ等の締結手段を介して取り付けられるこ
とにより、左右に対向する態様で配設してある。より詳細に説明すると、第２中央ガイド
板２２２ａは、第２前側通路形成部材２２１を構成する第２前ガイド板２２１ａよりも後
方側に所定の距離だけ離隔した位置に配設してある。より具体的には、商品が横向きの姿
勢で通過することが可能な大きさを確保しつつ、商品を上下方向に沿って積み上げ収納可
能な距離だけ離隔した位置に配設してある。従って、第２前ガイド板２２１ａの後縁部と
第２中央ガイド板２２２ａの前縁部との間に生ずる間隙は、商品の最大幅よりも小さくし
てある。
【００４７】
複数の第１セグメント４０は、前段ユニット２１および第２前側通路形成部材２２１を
構成する第１セグメント４０と同一のものである。複数の第２セグメント５０は、前段ユ
ニット２１を構成する第２セグメント５０と同一のものである。これら複数の第１セグメ
ント４０および複数の第２セグメント５０を、それぞれ第２中央ガイド板２２２ａ間の中
間高さ位置よりも高い位置から下方に架設することにより第２中央通路形成部材２２２が
構成される。より詳細に説明すると、複数の第２セグメント５０は、該第２セグメント５
０の正面が前方となる態様で、第２前側通路形成部材２２１を構成する第１セグメント４
０の上限配設位置よりも僅かに低い高さ位置から下方に連なって第２中央ガイド板２２２
ａ間に架設される。一方、複数の第１セグメント４０は、該第１セグメント４０の正面が
後方となる態様で、すなわち第２セグメント５０と背面が対向した態様で、該第２セグメ
ント５０の上限配設位置よりも高く、かつ第２前側通路形成部材２２１の第１セグメント
４０の上限配設位置よりも僅かに高い高さ位置から下方に連なって第２中央ガイド板２２
２ａ間に架設される。
【００４８】
その結果、第２前側通路形成部材２２１と第２中央通路形成部材２２２との間、すなわ
ち第２前ガイド板２２１ａに架設された第１セグメント４０と、第２中央ガイド板２２２
ａに架設された第２セグメント５０との間には、蛇行状の商品収納通路Ｌが画成される。
換言すると、商品収納通路Ｌは、第２前側通路形成部材２２１と第２中央通路形成部材２
２２とが互いのセグメント４０，５０が対向した態様で前後一対に配設されることにより
、画成されたものである。
【００４９】
第２後側通路形成部材２２３は、一対の第２後ガイド板２２３ａと、複数の第２セグメ
ント５０とを有してなるものである。第２後ガイド板２２３ａは、それぞれ例えば鋼板等
の板状部材を加工してなる長尺状のものであり、第２前ガイド板２２１ａおよび第２中央
ガイド板２２２ａと略同一の長さを有している。これら第２後ガイド板２２３ａは、それ
ぞれの上端部が上記水平支持部材１８にネジ等の締結手段を介して取り付けられることに
より、左右に対向する態様で配設してある。より詳細に説明すると、第２後ガイド板２２
３ａは、第２中央通路形成部材２２２を構成する第２中央ガイド板２２２ａよりも後方側
に所定の距離だけ離隔した位置に配設してある。より具体的には、商品が横向きの姿勢で
通過することが可能な大きさを確保しつつ、商品を上下方向に沿って積み上げ収納可能な
距離だけ離隔した位置に配設してある。従って、第２中央ガイド板２２２ａの後縁部と第
２後ガイド板２２３ａの前縁部との間に生ずる間隙は、商品の最大幅よりも小さくしてあ
る。
【００５０】
複数の第２セグメント５０は、第２中央通路形成部材２２２を構成する第２セグメント
５０と同一のものである。これら複数の第２セグメント５０を、それぞれ第２後ガイド板
２２３ａ間の中間高さ位置よりも高い高さ位置から下方に架設することにより第２後側通
路形成部材２２３が構成される。より詳細には、複数の第２セグメント５０は、該第２セ
グメント５０の正面が前方となる態様で、第２中央通路形成部材２２２を構成する第１セ
グメント４０の上限配設位置よりも高い高さ位置から下方に連なって第２後ガイド板２２
３ａ間に架設される。
【００５１】
その結果、第２中央通路形成部材２２２と第２後側通路形成部材２２３との間、すなわ
ち第２中央ガイド板２２２ａに架設された第１セグメント４０と、第２後ガイド板２２３
ａに架設された第２セグメント５０との間には、蛇行状の商品収納通路Ｌが画成される。
換言すると、商品収納通路Ｌは、第２中央通路形成部材２２２と第２後側通路形成部材２
２３とが互いのセグメント４０，５０が対向した態様で前後一対に配設されることにより
、画成されたものである。
【００５２】
後段ユニット２３は、中段ユニット２２の後方側に隣接する態様で配設したものであり
、第３前側通路形成部材２３１、第３中央通路形成部材２３２および第３後側通路形成部
材２３３を有して構成してある。第３前側通路形成部材２３１は、一対の第３前ガイド板
２３１ａと、複数の第１セグメント４０とを有してなるものである。
【００５３】
第３前ガイド板２３１ａは、それぞれ例えば鋼板等の板状部材を加工してなる長尺状の
ものであり、中段ユニット２２を構成するガイド板２２１ａ，２２２ａ，２２３ａよりも
長手方向の長さが短いものである。これら第３前ガイド板２３１ａは、それぞれの上端部
が上記水平支持部材１８にネジ等の締結手段を介して取り付けられることにより、左右に
対向する態様で配設してある。より詳細に説明すると、第３前ガイド板２３１ａは、前縁
部が中段ユニット２２を構成する第２後ガイド板２２３ａの後縁部に接した状態で配設し
てある。
【００５４】
複数の第１セグメント４０は、前段ユニット２１および中段ユニット２２を構成する第
１セグメント４０と同一のものである。これら複数の第１セグメント４０を、それぞれ第
３前ガイド板２３１ａ間の中間高さ位置よりも高い高さ位置から下方に架設することによ
り第３前側通路形成部材２３１が構成される。より詳細には、複数の第１セグメント４０
は、該第１セグメント４０の正面が後方となる態様で、第２後側通路形成部材２２３を構
成する第２セグメント５０の上限配設位置よりも僅かに高い高さ位置から下方に連なって
第３前ガイド板２３１ａ間に架設される。
【００５５】
第３中央通路形成部材２３２は、一対の第３中央ガイド板２３２ａと、複数の第１セグ
メント４０と、複数の第２セグメント５０とを有してなるものである。第３中央ガイド板
２３２ａは、それぞれ例えば鋼板等の板状部材を加工してなる長尺状のものであり、第３
前ガイド板２３１ａと略同一の長さを有している。これら第３中央ガイド板２３２ａは、
それぞれの上端部が上記水平支持部材１８にネジ等の締結手段を介して取り付けられるこ
とにより、左右に対向する態様で配設してある。より詳細に説明すると、第３中央ガイド
板２３２ａは、第３前側通路形成部材２３１を構成する第３前ガイド板２３１ａよりも後
方側に所定の距離だけ離隔した位置に配設してある。より具体的には、商品が横向きの姿
勢で通過することが可能な大きさを確保しつつ、商品を上下方向に沿って積み上げ収納可
能な距離だけ離隔した位置に配設してある。従って、第３前ガイド板２３１ａの後縁部と
第３中央ガイド板２３２ａの前縁部との間に生ずる間隙は、商品の最大幅よりも小さくし
てある。
【００５６】
複数の第１セグメント４０は、前段ユニット２１、中段ユニット２２および第３前側通
路形成部材２３１を構成する第１セグメント４０と同一のものである。複数の第２セグメ
ント５０は、前段ユニット２１および中段ユニット２２を構成する第２セグメント５０と
同一のものである。これら複数の第１セグメント４０および複数の第２セグメント５０を
、それぞれ第３中央ガイド板２３２ａ間の中間高さ位置よりも高い位置から下方に架設す
ることにより第３中央通路形成部材２３２が構成される。より詳細に説明すると、複数の
第２セグメント５０は、該第２セグメント５０の正面が前方となる態様で、第３前側通路
形成部材２３１を構成する第１セグメント４０の上限配設位置よりも僅かに低い高さ位置
から下方に連なって第３中央ガイド板２３２ａ間に架設される。一方、複数の第１セグメ
ント４０は、該第１セグメント４０の正面が後方となる態様で、すなわち第２セグメント
５０と背面が対向した態様で、該第２セグメント５０の上限配設位置よりも高く、かつ第
３前側通路形成部材２３１の第１セグメント４０の上限配設位置よりも僅かに高い高さ位
置から下方に連なって第３中央ガイド板２３２ａ間に架設される。
【００５７】
その結果、第３前側通路形成部材２３１と第３中央通路形成部材２３２との間、すなわ
ち第３前ガイド板２３１ａに架設された第１セグメント４０と、第３中央ガイド板２３２
ａに架設された第２セグメント５０との間には、蛇行状の商品収納通路Ｌが画成される。
換言すると、商品収納通路Ｌは、第３前側通路形成部材２３１と第３中央通路形成部材２
３２とが互いのセグメント４０，５０が対向した態様で前後一対に配設されることにより
、画成されたものである。
【００５８】
第３後側通路形成部材２３３は、一対の第３後ガイド板２３３ａと、複数の第２セグメ
ント５０とを有してなるものである。第３後ガイド板２３３ａは、それぞれ例えば鋼板等
の板状部材を加工してなる長尺状のものであり、第３前ガイド板２３１ａおよび第３中央
ガイド板２３２ａと略同一の長さを有している。これら第３後ガイド板２３３ａは、それ
ぞれの上端部が上記水平支持部材１８にネジ等の締結手段を介して取り付けられることに
より、左右に対向する態様で配設してある。より詳細に説明すると、第３後ガイド板２３
３ａは、第３中央通路形成部材２３２を構成する第３中央ガイド板２３２ａよりも後方側
に所定の距離だけ離隔した位置に配設してある。より具体的には、商品が横向きの姿勢で
通過することが可能な大きさを確保しつつ、商品を上下方向に沿って積み上げ収納可能な
距離だけ離隔した位置に配設してある。従って、第３中央ガイド板２３２ａの後縁部と第
３後ガイド板２３３ａの前縁部との間に生ずる間隙は、商品の最大幅よりも小さくしてあ
る。
【００５９】
複数の第２セグメント５０は、第３中央通路形成部材２３２を構成する第２セグメント
５０と同一のものである。これら複数の第２セグメント５０を、それぞれ第３後ガイド板
２３３ａ間の中間高さ位置よりも高い高さ位置から下方に架設することにより第３後側通
路形成部材２３３が構成される。より詳細には、複数の第２セグメント５０は、該第２セ
グメント５０の正面が前方となる態様で、第３中央通路形成部材２３２を構成する第１セ
グメント４０の上限配設位置よりも僅かに低い高さ位置から下方に連なって第３後ガイド
板２３３ａ間に架設される。
【００６０】
その結果、第３中央通路形成部材２３２と第３後側通路形成部材２３３との間、すなわ
ち第３中央ガイド板２３２ａに架設された第１セグメント４０と、第３後ガイド板２３３
ａに架設された第２セグメント５０との間には、蛇行状の商品収納通路Ｌが画成される。
換言すると、商品収納通路Ｌは、第３中央通路形成部材２３２と第３後側通路形成部材２
３３とが互いのセグメント４０，５０が対向した態様で前後一対に配設されることにより
、画成されたものである。
【００６１】
以上説明したような商品収納ラック２０においては、図４に示したように、前段ユニッ
ト２１、中段ユニット２２および後段ユニット２３のそれぞれで画成された商品収納通路
Ｌの個々の上方側に商品投入用トレイ６０が設けてある一方、該商品収納通路Ｌの個々の
下方側に商品搬出機構７０が設けてある。
【００６２】
商品投入用トレイ６０は、前方から後方に向けて漸次低くなるように傾斜して配設した
板状部材である。商品搬出機構７０は、商品の販売を制御するものであり、商品収納通路
Ｌの下部出口に取り付けてある。具体的には、前段ユニット２１の第１中央ガイド板２１
２ａ間、中段ユニット２２の第２中央ガイド板２２２ａ間、後段ユニット２３の第３中央
ガイド板２３２ａ間に配設してある。尚、図４中の符号Ｈは、補強部材である。
【００６３】
そのような商品収納ラック２０においては、商品を補充する場合、前方から商品投入用
トレイ６０に商品を横向きの姿勢（倒置姿勢）で投入する。そうすると、商品は、商品投
入用トレイ６０の傾斜にしたがって漸次後方に向けて転動し、該商品投入用トレイ６０の
後端から落下して商品収納通路Ｌに進入する。商品収納通路Ｌに商品が投入すると、バネ
９０に付勢されたフラッパ３０が、商品に当接することになる。商品が当接したフラッパ
３０は、バネ９０の付勢力に抗して配設されているガイド板に近接する向きに揺動して商
品の落下衝撃を緩和することができるようになる。商品が通過した後にあっては、バネ９
０の弾性復元力により、フラッパ３０が再び商品収納通路Ｌに向けて突出した位置に復帰
する。そして、複数の商品が商品投入用トレイ６０に順次投入される結果、商品収納通路
Ｌでは、商品が商品搬出機構７０の上に重なるように順次積み上げ収納される。その際、
商品収納通路Ｌを画成する各通路形成部材間には間隙が形成してあるため、収納された商
品を外部から視認することが可能になる。
【００６４】
一方、商品を販売する場合、すなわち自動販売機に料金が投入され、所望とする商品選
択ボタン９が押下されると、指定された商品を収納する商品搬出機構７０が販売指令に基
づいて駆動し、最下段に収納された商品が１個ずつ商品搬出用シュータ４を介して商品取
出口１４に払い出される。
【００６５】
以上説明したように、本発明の実施の形態に係る商品収納ラック２０によれば、前段ユ
ニット２１、中段ユニット２２および後段ユニット２３のそれぞれにおいて、前側通路形
成部材２１１，２２１，２３１と中央通路形成部材２１２，２２２，２３２とが互いのセ
グメント４０，５０が対向した態様で前後一対に配設されて商品収納通路Ｌを画成し、中
央通路形成部材２１２，２２２，２３２と後側通路形成部材２１３，２２３，２３３とが
互いのセグメント４０，５０が対向した態様で前後一対に配設されて商品収納通路Ｌを画
成してあるので、一対の側板間に複数の商品収納通路を画成していた従来構成のように大
型装置等を必要とせず、簡単な取付器具を利用して各通路形成部材毎に組み立てることに
より構成することができ、組立作業が簡単なものになる。また、商品収納通路Ｌを臨む部
分には間隙を設けることができ、かかる部分の材料費を削減することが可能になる。従っ
て、組立作業の煩雑化を招来せずに、製造コストの低減化を図ることができる。
【００６６】
また、上述したように、商品収納通路Ｌを臨む部分には間隙を設けたので、商品収納通
路Ｌの内部を視認することができ、しかも商品等の詰まりが発生した場合に、手等を挿入
させて商品姿勢を良好なものにすることが可能である。
【００６７】
また、各通路形成部材を構成するガイド板間に形成された間隙は、商品の最大幅よりも
小さくしてあるので、該間隙を通じて内部の商品が飛び出す虞れがない。
【００６８】
また、上記商品収納ラック２０によれば、セグメント４０，５０にバネ９０を介在させ
てフラッパ３０を取り付けたため、商品収納通路Ｌに搬入された商品の落下衝撃を緩和し
て、商品が損傷してしまうことを回避することができる。
【産業上の利用可能性】
【００６９】
以上のように、本発明に係る商品収納ラックは、例えば缶入り飲料、瓶入り飲料および
ペットボトル入り飲料等の各種商品を販売する自動販売機に有用である。
【図面の簡単な説明】
【００７０】
【図１】本発明の実施の形態に係る商品収納ラックが適用された自動販売機を示した正面図である。
【図２】図１に示した自動販売機において外扉を開成した状態を示した斜視図である。
【図３】図１に示した自動販売機において扉体を開成した状態を示した斜視図である。
【図４】商品収納ラックを示した側断面図である。
【図５】図４に示した商品収納ラックを構成する第１セグメントを示した側面図である。
【図６】図５に示した第１セグメントを正面側から見た場合の斜視図である。
【図７】図５に示した第１セグメントを背面側から見た場合の斜視図である。
【図８】図５に示した第１セグメントを背面側から見た場合の分解斜視図である。
【図９】図４に示した商品収納ラックを構成する第２セグメントを示した側面図である。
【図１０】図９に示した第２セグメントを正面側から見た場合の斜視図である。
【図１１】図９に示した第２セグメントを背面側から見た場合の斜視図である。
【図１２】図９に示した第２セグメントを背面側から見た場合の分解斜視図である。
【図１３】従来の商品収納ラックの構成を示した斜視図である。
【符号の説明】
【００７１】
２０      商品収納ラック
２１      前段ユニット
２１１    第１前側通路形成部材
２１１ａ  第１前ガイド板
２１２    第１中央通路形成部材
２１２ａ  第１中央ガイド板
２１３    第１後側通路形成部材
２１３ａ  第１後ガイド板
２２      中段ユニット
２２１    第２前側通路形成部材
２２１ａ  第２前ガイド板
２２２    第２中央通路形成部材
２２２ａ  第２中央ガイド板
２２３    第２後側通路形成部材
２２３ａ  第２後ガイド板
２３      後段ユニット
２３１    第３前側通路形成部材
２３１ａ  第３前ガイド板
２３２    第３中央通路形成部材
２３２ａ  第３中央ガイド板
２３３    第３後側通路形成部材
２３３ａ  第３後ガイド板
３０      フラッパ
４０      第１セグメント
５０      第２セグメント
６０      商品投入用トレイ
７０      商品搬出機構
Ｌ        商品収納通路
【図１】
2006184971.tif 000003
【図２】
2006184971.tif 000004
【図３】
2006184971.tif 000005
【図４】
2006184971.tif 000006
【図５】
2006184971.tif 000007
【図６】
2006184971.tif 000008
【図７】
2006184971.tif 000009
【図８】
2006184971.tif 000010
【図９】
2006184971.tif 000011
【図１０】
2006184971.tif 000012
【図１１】
2006184971.tif 000013
【図１２】
2006184971.tif 000014
【図１３】
2006184971.tif 000015